(57)【要約】【課題】  多様な物品を吊り下げることを可能とし、さらには室内外における空間レイアウトの自由度も高めること。【解決手段】    略Ｃ字形断面のレール本体３１を躯体４に懸垂手段１５を介して固定した。レール本体３１は所定の間隔をおいて平行に配設した。懸垂手段１５はレール本体３１ごとに複数設けており、これら懸垂手段１５間には振れ止め部材２５を架け渡している。レール本体３１の側壁部に貫通孔１３ａを複数設け、これら貫通孔１３ａに挿通した丸棒に直接またはハンガー等を介して物を吊る。【選択図】  図７
0003104091.tif 000002
【実用新案登録請求の範囲】
【請求項１】
吊掛部が躯体に直接又は懸垂手段を介して固定されていることを特徴とするハングレールシステム。
【請求項２】
前記吊掛部は、レール状をなして一定の方向に延びていることを特徴とする請求項１記載のハングレールシステム。
【請求項３】
前記吊掛部を複数備えることを特徴とする請求項１又は請求項２記載のハングレールシステム。
【請求項４】
所定の間隔をおいて平行に配設された吊掛部を備えることを特徴とする請求項１〜請求項３のいずれかに記載のハングレールシステム。
【請求項５】
他の吊掛部の延在方向と交差する方向に延びる吊掛部を備えることを特徴とする請求項１〜請求項４のいずれかに記載のハングレールシステム。
【請求項６】
前記懸垂手段を複数備えると共に、これら懸垂手段間に架け渡された振れ止め部材を備えることを特徴とする請求項１〜請求項５のいずれかに記載のハングレールシステム。
【請求項７】
前記吊掛部には、挿通された棒状部材を支持可能な貫通孔が形成されていることを特徴とする請求項１〜請求項６のいずれかに記載のハングレールシステム。
【請求項８】
前記貫通孔が複数形成されていることを特徴とする請求項７記載のハングレールシステム。
【請求項９】
平行に配設された前記吊掛部の各貫通孔に棒状部材が挿通されてなることを特徴とする請求項７又は請求項８記載のハングレールシステム。
【請求項１０】
前記吊掛部には、建物の床面側に臨まされた開口部が当該吊掛部の長手方向に所定の間隔をおいて形成されていることを特徴とする請求項１〜請求項９のいずれかに記載のハングレールシステム。
【請求項１１】
前記開口部には、キャップ体が着脱可能に被着されていることを特徴とする請求項１０記載のハングレールシステム。
【請求項１２】
前記吊掛部には、建物の床面側に臨まされた開口部が当該吊掛部の長手方向に連続して形成されていることを特徴とする請求項１〜請求項９のいずれかに記載のハングレールシステム。
【請求項１３】
前記吊掛部の内部には、当該吊掛部の長手方向に沿って移動可能な移動体が収納されていることを特徴とする請求項１２記載のハングレールシステム。
【請求項１４】
前記移動体は、物が吊下げ可能とされた滑車付きのアタッチメントであることを特徴とする請求項１３記載のハングレールシステム。
【請求項１５】
前記移動体には、ボルト挿通孔が形成されていることを特徴とする請求項１３又は請求項１４記載のハングレールシステム。
【請求項１６】
前記移動体の底面部には、当該移動体が移動する際に前記開口部にガイドされる凸部が形成されていることを特徴とする請求項１３〜請求項１５のいずれかに記載のハングレールシステム。
【請求項１７】
前記吊掛部が中空構造を有し、その端部開口を塞ぐ蓋体が着脱可能に被着されていることを特徴とする請求項１〜請求項１６のいずれかに記載のハングレールシステム。
【請求項１８】
前記躯体の下方に天井ボードを備えると共に、この天井ボードに形成された切欠部に前記レール本体の上部が挿入されていることを特徴とする請求項１〜請求項１７のいずれかに記載のハングレールシステム。
【請求項１９】
前記蓋体は、前記切欠部よりも下側部分を開閉可能とする可動部を備えることを特徴とする請求項１８記載のハングレールシステム。
【請求項２０】
集合住宅の躯体に固定されていることを特徴とする請求項１〜請求項１９のいずれかに記載のハングレールシステム。
【考案の詳細な説明】
【技術分野】
【０００１】
この考案は、物品等を吊り下げるためのハングレールシステムに関する。
【背景技術】
【０００２】
従来、洗濯物を干す目的で天井ボードに専用レールを取付けるものがあったが、天井ボードに専用レールをビス止めしていたため、強度が弱いという問題があった。さらに、その目的も洗濯物を干すという用途に限定されていた。
他方、多様な物品を取付け・吊り下げることができ、且つ比較的高強度のものとしては、舞台装置の美術バトンに関する考案が知られている。
その他にも、室内の天井に支持部材を固着し、物干し竿等を装架できる室内用物干し具として、例えば特許文献１に提案されたものが知られている。
【特許文献１】特開２００３−２１０８９５号公報
【考案の開示】
【考案が解決しようとする課題】
【０００３】
しかしながら、特許文献１に提案の室内用物干し具は、目的が物干し具に限定されていることから、天井ボードに支持部材が直接取り付いており、また、特に振れ止め処理もなれされていないので、構造的な強度は十分でない。また、支持部材固着後に物干し竿の装架位置を調整することが不可能であり、室内レイアウトの自由度に欠けていた。この室内用物干し具には、室内外の上部空間を有効に利用して自由な空間レイアウトを実現するという発想自体がそもそも無いからである。
つまり、洗濯物だけでなく多様な物品を吊り下げ可能にすると共に、室内外の上部空間を有効に利用して自由な空間レイアウトを可能にするには、不十分なものであった。
【０００４】
ここで、室内外の上部空間を有効に利用し、天井から多様な物品を吊下げられるようにして、自由な空間レイアウトを可能にするためには、
ｉ）強度が十分に確保されていること、
ii）物品を取付けることのできる箇所が多いこと、
iii）小規模な空間から大規模な空間まで対応できること、
iv）メインテナンスが容易であること
が必要であり、以上の４つの要素を兼ね備えた天井システムの出現が望まれている。
【０００５】
本考案は、上記事情に鑑みてなされたものであり、その目的は、多様な物品を吊り下げることのできるハングレールシステムの提供にある。
また、本考案の他の目的は、室内外における空間レイアウトの自由度を高めることのできるハングレールシステムの提供にある。
【課題を解決するための手段】
【０００６】
上記課題を解決するために、請求項１に係る考案は、吊掛部が躯体に直接又は懸垂手段を介して固定されていることを特徴とする。
請求項２に係る考案は、請求項１記載のハングレールシステムにおいて、前記吊掛部は、レール状をなして一定の方向に延びていることを特徴とする。
請求項３に係る考案は、請求項１又は請求項２記載のハングレールシステムにおいて、前記吊掛部を複数備えることを特徴とする。
請求項４に係る考案は、請求項１〜請求項３のいずれかに記載のハングレールシステムにおいて、所定の間隔をおいて平行に配設された吊掛部を備えることを特徴とする。
【０００７】
請求項５に係る考案は、請求項１〜請求項４のいずれかに記載のハングレールシステムにおいて、他の吊掛部の延在方向と交差する方向に延びる吊掛部を備えることを特徴とする。
請求項６に係る考案は、請求項１〜請求項５のいずれかに記載のハングレールシステムにおいて、前記懸垂手段を複数備えると共に、これら懸垂手段間に架け渡された振れ止め部材を備えることを特徴とする。
請求項７に係る考案は、請求項１〜請求項６のいずれかに記載のハングレールシステムにおいて、前記吊掛部には、挿通された棒状部材を支持可能な貫通孔が形成されていることを特徴とする。
請求項８に係る考案は、請求項７記載のハングレールシステムにおいて、前記貫通孔が複数形成されていることを特徴とする。
【０００８】
請求項９に係る考案は、請求項７又は請求項８記載のハングレールシステムにおいて、平行に配設された前記吊掛部の各貫通孔に棒状部材が挿通されてなることを特徴とする。
請求項１０に係る考案は、請求項１〜請求項９のいずれかに記載のハングレールシステムにおいて、前記吊掛部には、建物の床面側に臨まされた開口部が当該吊掛部の長手方向に所定の間隔をおいて形成されていることを特徴とする。
請求項１１に係る考案は、請求項１０記載のハングレールシステムにおいて、前記開口部には、キャップ体が着脱可能に被着されていることを特徴とする。
請求項１２に係る考案は、請求項１〜請求項９のいずれかに記載のハングレールシステムにおいて、前記吊掛部には、建物の床面側に臨まされた開口部が当該吊掛部の長手方向に連続して形成されていることを特徴とする。
【０００９】
請求項１３に係る考案は、請求項１２記載のハングレールシステムにおいて、前記吊掛部の内部には、当該吊掛部の長手方向に沿って移動可能な移動体が収納されていることを特徴とする。
請求項１４に係る考案は、請求項１３記載のハングレールシステムにおいて、前記移動体は、物が吊下げ可能とされた滑車付きのアタッチメントであることを特徴とする。
請求項１５に係る考案は、請求項１３又は請求項１４記載のハングレールシステムにおいて、前記移動体には、ボルト挿通孔が形成されていることを特徴とする。
請求項１６に係る考案は、請求項１３〜請求項１５のいずれかに記載のハングレールシステムにおいて、前記移動体の底面部には、当該移動体が移動する際に前記開口部にガイドされる凸部が形成されていることを特徴とする。
【００１０】
請求項１７に係る考案は、請求項１〜請求項１６のいずれかに記載のハングレールシステムにおいて、前記吊掛部が中空構造を有し、その端部開口を塞ぐ蓋体が着脱可能に被着されていることを特徴とする。
請求項１８に係る考案は、請求項１〜請求項１７のいずれかに記載のハングレールシステムにおいて、前記躯体の下方に天井ボードを備えると共に、この天井ボードに形成された切欠部に前記レール本体の上部が挿入されていることを特徴とする。
請求項１９に係る考案は、請求項１８記載のハングレールシステムにおいて、前記蓋体は、前記切欠部よりも下側部分を開閉可能とする可動部を備えることを特徴とする。
請求項２０に係る考案は、請求項１〜請求項１９のいずれかに記載のハングレールシステムにおいて、集合住宅の躯体に固定されていることを特徴とする。
【考案の効果】
【００１１】
本考案によれば、物やその物を介して人等を吊り下げることのできる吊掛部が躯体に直接又は懸垂手段を介して固定されているので、衣類等の比較的重量の軽いものから、プランター等の比較的重量の嵩む物、ひいてはハンモックを介して人までも吊ることができる。つまり、重量の嵩む物も含めて多様な物品を吊り下げることのできるハングレールシステムを提供できる。
また、物品の懸架位置に対する制約も大幅に軽減するので、室内外の上部空間を有効に利用し得るようになり、自由な空間レイアウトが可能なハングレールシステムを提供できる。
【考案を実施するための最良の形態】
【００１２】
本考案のハングレールシステムは、例えば学生寮等のように間取りにゆとりが無く、期間限定で入居される集合住宅に用いられて好適なものであり、入居中の者にとっては、多様な物品を吊り下げることができると共に、室内外の上部空間を有効利用して自由な空間レイアウトが可能になるという利点がある。また、新規入居者にとっても、前の入居者のレイアウトに制約されない任意の空間レイアウトが可能になり、家主にとっても、入居者が変わる都度、天井部分を工事せずに済むので、建物の保守・管理費用が軽減されるという利点がある。
【００１３】
図１〜図６は、ハングレールシステムの第１実施例を示している。
このハングレールシステム１は、図１及び図２に示すように、天井の折り上げ位置２より内側で、図示せぬソファ等の上方を避けるようにして隣戸側の壁３に寄せて配設されており、主として、所定の間隔をおいて平行配置された２本のレール本体（吊掛部）１１と、これらレール本体１１の各側壁部１２ａ，１２ｂに形成された複数の貫通孔１３ａと、これら貫通孔１３ａに挿通された複数の丸棒（棒状部材）１４と、レール本体１１をＲＣの躯体４から吊下げる懸垂手段１５とを備えて構成されている。
【００１４】
このレール本体１１は、比較的安価に入手することのできる長方形断面（略ロ字形断面）の角パイプを所定の長さに切断して製作されたものであり、図３及び図４に示すように、長方形断面の長辺側が上下方向に沿う姿勢で天井ボード５と平行（一定の方向）に躯体４に吊られている。
レール本体１１の両端部開口１１ａには、図５及び図６に示すように、外観品質の向上及びレール本体１１内への異物の侵入を防止するために、蓋体１６が溶接されている。この蓋体１６は、着脱可能に被着されていてもよい。
【００１５】
レール本体１１の側壁部１２ａ，１２ｂと、上面部１２ｃ及び底面部１２ｄには、それぞれ順番に貫通孔１３ａ，１３ｂ，１３ｃが形成されている。
側壁部１２ａ，１２ｂの貫通孔１３ａは、レール本体１１の長手方向に任意間隔（例えば、等間隔）で複数形成されている。これら貫通孔１３ａは、前記丸棒１４を挿通支持するための孔であり、一方の側壁部１２ａにおける貫通孔１３ａと、他方の側壁部１２ｂにおける貫通孔１３ａは、図３に示すように、水平方向に対向して配置されている。
丸棒１４がこれら貫通孔１３ａに挿通されると、この丸棒１４にタオル等の物を直接吊下げたり、物を吊下げるハンガー，ハンモック等に設けられているフックを引掛けることが可能となる。しかる後、丸棒１４の両端に貫通孔１３ａよりも大径のキャップ（図示略）を装着すれば、使用時における丸棒１４の抜けを有効に防止することができる。
なお、丸棒１４は、例えば木製や金属パイプ製のものを採用することができ、また、円形断面以外に任意断面の棒状部材を採用することができる。
【００１６】
レール本体１１の上面部１２ｃ及び底面部１２ｄにおける貫通孔１３ｂ，１３ｃは、所定間隔で複数形成されている。
これら貫通孔１３ｂ，１３ｃは、閉断面構造を有するレール本体１１を躯体４に固定するための全ネジボルト（懸垂手段の一部）２１を挿通させるための孔である。
上面部１２ｃにおける貫通孔１３ｂと底面部１２ｄにおける貫通孔１３ｃは、図３，図５及び図６に示すように、上下方向に対向して配置されており、レール本体１１の長手方向両端部付近と長手方向中央部に形成されている。
【００１７】
上面部１２ｃにおける貫通孔１３ｂの内径は、少なくとも全ネジボルト２１を挿通させることのできる大きさに設定されている。これに対し、底面部１２ｄにおける貫通孔１３ｃの内径は、全ネジボルト２１の一端に螺合されてレール本体１１の固定及び抜け止め機能をなすナット２２ｂ，２２ｃを挿通し締め付ける工具よりも大径に設定されている。
このように、底面部１２ｄにおける貫通孔１３ｃは比較的大径であることから、この実施例では、外観品質向上の観点より、着脱可能なキャップ体１７を用いて貫通１３ｃ孔を塞いでいる。
【００１８】
懸垂手段１５は、躯体４に埋め込まれるグリップアンカー２３と、このグリップアンカー２３に一端部（上端部）がねじ込まれると共に、他端部（下端部）にレール本体１１が固定される全ネジボルト２１と、全ネジボルト２１に螺合されてレール本体１１の上面部１２ｃにおける貫通孔１３ｂの周囲を上下から挟持する第１〜第３のナット２２ａ，２２ｂ，２２ｃと、全ネジボルト２１に外挿されて第２のナット２２ｂとレール本体１１の上面部下面との間に配されるワッシャ２４とを備えて構成されている。
レール本体１１の各部の寸法や、レール本体１１を懸垂する位置及びその数は、レール本体１１の長さや想定する吊下げ荷重等、必要に応じて適宜設定される。
【００１９】
各全ネジボルト２１の軸方向略中央部には、隣り合う全ネジボルト２１を相互に連結する、言い換えれば、隣り合う全ネジボルト２１間に懸架される長板状の振れ止め部材２５が固定されている。この振れ止め部材２５は、例えばアルミニウム合金板からなり、その両端部には、全ネジボルト２１を挿通させるための貫通孔２５ａが形成されている。
この貫通孔２５ａに全ネジボルト２１を挿通し、一対のナット２６で貫通孔２５ａの周囲を上下から挟持することにより、振れ止め部材２５がレール本体１１の長さ方向両端部に架け渡される。
【００２０】
これにより、レール本体１１を躯体４に直接ボルト止めせずに、懸垂部材１５を介して躯体４に吊下げた場合においても、レール本体１１の揺動を効果的に抑制することができる。このことは、特にレール本体１１又は丸棒１４にハンモックを吊下げた場合のように、ハンモックの揺れが懸垂部材１５に伝わるようなときに有効である。
なお、上記実施例では、レール本体１１における上面部１２ｃの下面側に、第２のナット２２ｂだけでなく第３のナット２２ｃを設けて補強しているので、第２のナット２２ｂだけの場合よりも強度の向上が図られている。
【００２１】
天井ボード５は、図３に示すように、躯体４に支持された複数の天井ボード吊り金具６により、躯体４から天井ボード５までの間に所定の隙間７を形成して吊下げ固定されている。この天井ボード５は、図６に示すように、複数のボード構成体５ａ，５ｂ，…を組み合わせて構成されており、その組み合わせの結果、レール本体１１の幅及び長さと略同寸をなす矩形の切欠部８がレール本体１１の設置予定箇所に形成されている。
レール本体１１は、その上部を天井ボード５の前記切欠部８に挿入して前記隙間７内に突出させているので、第１のナット２２ａや全ネジボルト２１が室内側に露出することはない。よって、外観性に優れる。
【００２２】
また、天井ボード５の室内側の面５Ａに貼り付けられた天井仕上げ材９は、切欠部８の内周面を覆うようにして天井ボード５の反対面５Ｂ側（隙間７側）に折り返されているので、ボード切断面が露出しない上に、レール本体１１と切欠部８との隙間も狭められて目立たなくなり、更なる外観品質の向上が図られている。
つまり、第１のナット２２ａや全ネジボルト２１の室内側への露出を避けるべく上記切欠部８を形成してレール本体１１の上部を隙間７側に挿入しても、切欠部８を形成したことによる外観品質の低下を招くことがないような配慮がなされている。
【００２３】
以上説明したように、この実施例によるハングレールシステム１によれば、レール本体１１を支持している全ネジボルト２１の一端部がグリップアンカー２３を介して躯体４にねじ込まれることにより、レール本体１１が従来のように天井ボード５に固定されるのではなく、躯体４に固定された構造になっている。その結果、丸棒１４及びレール本体１１が高荷重に耐え得るようになり、これらに重量物も含めて多様な物品を吊り下げることが可能となる。
【００２４】
また、レール本体１１に架け渡す丸棒１４の本数を必要に応じて増減させることができるので、室内外における空間レイアウトの自由度も増す。
さらに、レール本体１１は懸垂部材１５を介して躯体４に吊下げられているので、レール本体１１を躯体４に直接ボルト止めする際に不可欠な躯体面の処理が不要となる。この場合において、懸垂部材１５を使用してレール本体１１を吊る方式で問題となり得るレール本体１１の揺動は、振れ止め部材２５を用いることにより解消している。
【００２５】
図７〜図１１は、ハングレールシステムの第２実施例を示している。
以下の説明において、第１実施例と同一の構成要素には同一の符号を付し、その説明は省略する。
レール本体３１は、図7，図９及び図１１に示すように、建物の床面１０（図１参照）に臨まされた開口部３２が長手方向に連続して形成された略Ｃ字形断面、言い換えれば、長方形断面の底面部３１ａの幅方向中央部に長手方向全長に渡って延在する帯状の切欠を有する構成となっている。
【００２６】
レール本体３１内には、その長手方向に沿って移動可能な滑車３３ａ付きのアタッチメント（移動体）３３が収納されている。このアタッチメント３３には、例えば間仕切りパネル３４を直接取付けたり、物を吊るためのフックを取付けることができる。
間仕切りパネル３４の取付け手順について簡単に説明すると、アタッチメント３３をレール本体３１内に収納するのに先だって、アタッチメント３３に形成されたボルト挿通孔３５に全ネジボルト３６を挿通し、更にこの全ネジボルト３６を間仕切りパネル３４の上面に形成された２箇所の雌ねじ部３４ａに各々ねじ込んだ後、アタッチメント３３の上面側からナット３７を締め付けることにより、アタッチメント３３に間仕切りパネル３４が固定される。
【００２７】
しかる後、このアタッチメント３３をレール本体３１の端部開口３１ｂより挿入すれば、間仕切りパネル３４がレール本体３１の長手方向に沿って移動可能な状態で当該レール本体３１に吊下げられる。
間仕切りパネル３４には、その幅方向をレール本体３１の長手方向（吊掛部の延在方向）に一致させて吊下げたもの（図９では左側に図示）と、その幅方向をレール本体３１の長手方向に対して直交（交差）させて、つまり、平行配置された２本のレール本体３１間を跨ぐように吊下げたもの（図９では右側に図示）とがある。
【００２８】
レール本体３１の端部開口３１ｂは、その上部のみ、つまり、少なくとも天井ボード５と躯体４との間に位置する部分のみが固定蓋３８により塞がれている。この固定蓋３８は、溶接や接着剤等によりレール本体３１の端面上部側に固定されている。
なお、このような固定蓋３８に代えて、レール本体３１の端部開口全体をキャップで着脱可能に塞ぐようにすれば、アタッチメント挿入時の操作性と外観品質の双方に優れることとなる。
【００２９】
この第２実施例によるハングレールシステムによれば、レール本体３１と平行な方向及び直角な方向に間仕切りパネル３４を設置することができ、且つこれら間仕切りパネル３４がレール本体３１に沿って移動可能となっているので、間仕切りパネル３４を移動させるだけで、普段は見えていてもいいが、来客時等の際に他人には見せたくない物等を容易に目隠しすることができる。また、間仕切りパネル３４をスクリーン代わりに使用する際にも、所定位置に固定されたプロジェクター等の映写装置の位置に合わせて間仕切りパネル３４を所望の位置に容易に移動させることもできる。
【００３０】
以上の通り、このハングレールシステムにおいても、丸棒１４又はレール本体３１に重量の嵩む物も含めて多様な物品を吊り下げることができるだけでなく、室内外における空間レイアウトの自由度も増す。
さらに、レール本体３１が断面略Ｃ字形とされている結果、その底面部３１ａには床面１０側に臨まされた開口部３２が長手方向に連続して延在し、これにより、アタッチメント３３に吊下げた物をレール本体１１に沿う範囲で任意の位置に移動させることが可能となっているので、室内外における空間レイアウトの自由度をより一層高めることができる。
【００３１】
図１２〜図１５は、第２実施例によるハングレールシステムの変形例を示している。
以下、第１実施例及び第２実施例と同一の構成要素には同一の符号を付し、その説明は省略する。
レール本体３１は、上記第２実施例と同一構造であるが、その内部には断面略コ字形のスライダピース４１が１つ又は複数収納されている。スライダピース４１の底面部４１ａには、レール本体３１に形成された帯状の開口部３２に対応する凸部４２と、ボルト挿通用の貫通孔４３が設けられている。
【００３２】
スライダピース４１は、その底面部４１ａの下面側に突出形成された前記凸部４２がレール本体３１に形成された開口部３２にガイドされながら移動可能である。このスライダピース４１には、例えば市販の配線ダクト４４等を取付けることができる。
配線ダクト４４の取付け手順について簡単に説明すると、スライダピース４１をレール本体３１内に収納するのに先だって、スライダピース４１と配線ダクト４４の各底面部４１ａ，４４ａを互いに突き合わせ、これらに形成されたボルト挿通孔４３，４５に対して配線ダクト４４側からボルト４６を挿通し、スライダピース４１側に突き出たボルト４６の先端側からナット４７を締め付けることにより、スライダピース４１に配線ダクト４４が固定される。
【００３３】
しかる後、図１３に示すように、配線ダクト４４が固定されたスライダピース４１をレール本体３１の端部開口３１ｂより挿入すれば、配線ダクト４４がレール本体３１の長手方向に沿って移動可能な状態で吊下げられる。
なお、スライダピース４１の凸部高さをレール本体３１の底面部厚さよりも若干大きめの寸法に設定しておけば、配線ダクト４４が固定されたスライダピース４１をレール本体３１に容易に挿入することができると共に、レール本体３１内でのスライダピース４１の移動も滑らかになる。
【００３４】
レール本体３１の両端部開口３１ｂは、固定蓋３８と可動蓋（可動部）３９とにより完全に塞がれている。固定蓋３８は、上記第２実施例と同様に、レール本体３１の上部、つまり、少なくとも天井ボード５と躯体４との間に位置する部分を塞いでおり、溶接や接着剤等により固定されている。これに対し、可動蓋３９は、固定蓋３８の下部に丁番等を介して旋回可能に固定されており、スライダピース４１をレール本体３１内に挿入する際には開方向に旋回させておき、通常時は自重によって閉方向に旋回してレール本体３１の端部開口３１ｂを塞いでいる。
【００３５】
この第２実施例の変形例によるハングレールシステムによれば、スライダピース４１に取付けた配線ダクト４４をレール本体３１に沿って移動させることにより、任意の位置にて電源を取ることができるので、例えば照明に関しては、従来のようにコンセントが予め天井に埋め込まれているために照明の位置を動かせなかったり、大型ステレオ等のレイアウトがコンセントの位置に制約されて自由にできない等の不都合が解消される。  
よって、丸棒１４又はレール本体３１に重量の嵩む物も含めて多様な物品を吊り下げることができるだけでなく、室内外における空間レイアウトの自由度も増す。
【００３６】
なお、本考案は上記実施例に限定されるものではなく、その要旨を逸脱しない範囲で種々の設計変更が可能である。その例を以下に示す。
（１）適用対象は集合住宅に限らず、あらゆる建物の躯体への適用が可能である。
（２）躯体面を平坦に形成しておけば、この躯体面にレール本体を直接ボルト止めしてもよい。
（３）平行配置される複数のレール本体は３本以上あってもよい。
（４）平行配置されたレール本体の他に、これらレール本体の延在方向に対して交差する方向にレール本体を設置してもよい。
（５）天井ボードの切欠部は、１枚のボード構成体の一部をくり抜いて形成してもよい。
【図面の簡単な説明】
【００３７】
【図１】本考案の第１実施例によるハングレールシステムが適用された集合住宅の平面図（天井見上げ図）である。
【図２】同集合住宅の断面図である。
【図３】図１に示すハングレールシステムの断面詳細図である。
【図４】図１に示すハングレールシステムの側面詳細図である。
【図５】図１に示すハングレールシステムの分解斜視図である。
【図６】図１に示すハングレールシステムと天井パネルの分解斜視図である。
【図７】本考案の第２実施例によるハングレールシステムの断面詳細図である。
【図８】図７に示すハングレールシステムの側面詳細図である。
【図９】図７に示すハングレールシステムと間仕切りパネルの分解斜視図である。
【図１０】図７に示すハングレールシステムが適用された集合住宅の断面詳細図である。
【図１１】図７に示すハングレールシステムの底面図である。
【図１２】図７に示すハングレールシステムの変形例を示す断面詳細図である。
【図１３】図１２に示すハングレールシステムの側面詳細図である。
【図１４】図１２に示すハングレールシステムの底面詳細図である。
【図１５】図１２に示すハングレールシステムの破断斜視図である。
【符号の説明】
【００３８】
１  ハングレールシステム
４  躯体
５  天井ボード
８  切欠部
１０  床面
１１、３１  レール本体（吊掛部）
１２ｄ  底面部
１３ａ  貫通孔
１３ｃ  貫通孔（開口部）
１４  棒状部材
１５  懸垂手段
１６  蓋体
１７  キャップ体
２５  振れ止め部材
３３  アタッチメント（移動体）
３５  ボルト挿通孔
３９  可動蓋（可動部）
４１  スライダピース（移動体）
４２  凸部
【図１】
0003104091.tif 000003
【図２】
0003104091.tif 000004
【図３】
0003104091.tif 000005
【図４】
0003104091.tif 000006
【図５】
0003104091.tif 000007
【図６】
0003104091.tif 000008
【図７】
0003104091.tif 000009
【図８】
0003104091.tif 000010
【図９】
0003104091.tif 000011
【図１０】
0003104091.tif 000012
【図１１】
0003104091.tif 000013
【図１２】
0003104091.tif 000014
【図１３】
0003104091.tif 000015
【図１４】
0003104091.tif 000016
【図１５】
0003104091.tif 000017